(57)【要約】【課題】排便の検知遅れを防ぐことによって、吸収性物品から大便が漏れ出す前に確実に吸収性物品を交換できるようにし、また、吸収性物品が具備する電気接点起因の着用時の違和感を軽減可能にし、更には、同電気接点起因の尿の吸収阻害を抑制する。【解決手段】厚さ方向と幅方向と長手方向とを有する吸収性物品である。前記長手方向に関して背側部と股下部と腹側部とを有し、尿を吸収する吸収性コアと、前記長手方向に沿って前記吸収性コアに設けられた導電部材であって、互いの間に間隔をあけながら前記幅方向に二つ並んで配された前記導電部材と、前記導電部材の通電状態に基づいて排尿又は排便を検知する検知部に前記導電部材を電気的に接続する接続部と、を有する。前記導電部材のうちで前記股下部に位置する部分は、前記導電部材よりも低い導電率の被覆部材によって被覆されているとともに、前記導電部材は、前記背側部の位置に、前記被覆部材によって被覆されずに露出された部分を有する。【選択図】図６
2015002948.tif 000002
【特許請求の範囲】
【請求項１】
厚さ方向と幅方向と長手方向とを有する吸収性物品であって、
前記長手方向に関して背側部と股下部と腹側部とを有し、尿を吸収する吸収性コアと、
前記長手方向に沿って前記吸収性コアに設けられた導電部材であって、互いの間に間隔をあけながら前記幅方向に二つ並んで配された前記導電部材と、
前記導電部材の通電状態に基づいて排尿又は排便を検知する検知部に前記導電部材を電気的に接続する接続部と、を有し、
前記導電部材のうちで前記股下部に位置する部分は、前記導電部材よりも低い導電率の被覆部材によって被覆されているとともに、前記導電部材は、前記背側部の位置に、前記被覆部材によって被覆されずに露出された部分を有することを特徴する吸収性物品。
【請求項２】
請求項１に記載の吸収性物品であって、
前記導電部材は、前記腹側部の位置にも、前記被覆部材によって被覆されずに露出された部分を有していることを特徴とする吸収性物品。
【請求項３】
請求項１又は２に記載の吸収性物品であって、
前記二つの前記導電部材は、それぞれ前記吸収性コアにおいて着用者の肛門が対向すべき肛門対向位置を、前記幅方向の両側から挟むように配置されており、
前記導電部材が前記背側部の位置に有する前記露出された部分は、前記長手方向に所定の長さを有し、
前記肛門対向位置を前記長手方向に跨ぐように、前記露出された部分は配置されていることを特徴とする吸収性物品。
【請求項４】
請求項１乃至３の何れかに記載の吸収性物品であって、
前記導電部材は、前記長手方向に沿って設けられた可撓性の帯状シート部材を基材とし、
前記帯状シート部材のうちで前記厚さ方向の肌側を向いた面に、前記長手方向に沿って連続して導電性インクが塗布されることによって、前記被覆部材よりも高い導電率の導電性が前記帯状シート部材に付与されており、
前記被覆部材は、前記帯状シート部材の前記導電性インクを前記厚さ方向から覆っていることを特徴とする吸収性物品。
【請求項５】
請求項１乃至４の何れかに記載の吸収性物品であって、
前記吸収性コアは、前記厚さ方向の肌側から液透過性の表面シートで覆われており、
前記表面シートと前記吸収性コアとの間に前記導電部材が介挿されていることを特徴とする吸収性物品。
【請求項６】
請求項５に記載の吸収性物品であって、
前記導電部材のうちで前記表面シートと対向する面には、前記長手方向の腹側又は背側の向きを示す印が設けられていることを特徴とする吸収性物品。
【請求項７】
請求項１乃至６の何れかに記載の吸収性物品であって、
前記導電部材の前記露出された部分は、前記長手方向に沿った直線状に設けられていることを特徴とする吸収性物品。
【請求項８】
請求項１乃至７の何れかに記載の吸収性物品であって、
前記吸収性コアは、前記厚さ方向の肌側から液透過性の表面シートで覆われており、
前記表面シートのうちで前記厚さ方向の肌側を向いた面には、前記厚さ方向の肌側から前記表面シート及び前記吸収性コアの両者を一緒に圧搾してなる圧搾部がへこんで形成されており、
前記圧搾部が形成されていない位置に、前記導電部材が配置されていることを特徴とする吸収性物品。
【請求項９】
請求項１乃至８の何れかに記載の吸収性物品であって、
前記接続部は、前記吸収性物品のうちで前記吸収性コアの前記腹側部よりも前記長手方向の端側の部分に配されていることを特徴とする吸収性物品。
【発明の詳細な説明】
【技術分野】
【０００１】
本発明は、着用者に着用されて尿を吸収する吸収性物品に関し、特に排尿及び排便を検知可能な吸収性物品に関する。
【背景技術】
【０００２】
従来、尿を吸収する吸収性物品として使い捨ておむつが使用されている。また、排尿を検知して知らせる排尿検知機能付き使い捨ておむつも市場に提供されている。
【０００３】
特許文献１には、後者のおむつ１０１ａの一例が開示されている。図１Ａは、同おむつ１０１ａの主要部の概略平面図であり、図１Ｂは、図１Ａ中のＢ−Ｂ断面図である。このおむつ１０１ａは、尿を吸収するパルプ繊維等からなる吸収性コア１１１と、吸収性コア１１１を厚さ方向の非肌側面から覆う液不透過性の裏面シート１３１とを有する。また、吸収性コア１１１と裏面シート１３１との間には、５つの長尺な電気接点１７１，１７１…がおむつ１０１ａの長手方向に並んで配置されており、各電気接点１７１，１７１…は、それぞれリード線（被覆銅線）でもっておむつ１０１ａの外にある不図示の外部装置に電気的に接続されている。そして、同外部装置は、これら５つの電気接点１７１，１７１…の中から選択された２つの電気接点１７１，１７１のインピーダンスを、選択の組み合わせを順次換えながら大小比較することによって、吸収性コア１１１において尿などで濡れた部分の大きさや水分量などを推定する。
【先行技術文献】
【特許文献】
【０００４】
【特許文献１】国際公開第２０１２−０８４９２４号
【発明の概要】
【発明が解決しようとする課題】
【０００５】
ところで、かかる特許文献１のおむつ１０１ａにあっては、各電気接点１７１，１７１…は、おむつ１０１ａの幅方向に沿った直線状に形成されており、つまり、各電気接点１７１，１７１…は、それぞれ、吸収性コア１１１を幅方向に横断して設けられている。  
そのため、仮に、同おむつ１０１ａにて排便の有無を検知する場合には、肛門に対する電気接点１７１の配置を、同図１Ａのようにすることになる。すなわち、吸収性コア１１１のうちで肛門が対向すべき位置を「肛門対向位置ＰＡ」とした場合に、当該肛門対向位置ＰＡの長手方向の両側の位置に、それぞれ電気接点１７１，１７１を一つずつ設けることになる。なお、以下では、これら二つの電気接点１７１，１７１を、他の電気接点１７１，１７１…と区別する意味で、電気接点１７１ａ，１７１ｂと記す。そして、これら電気接点１７１ａ，１７１ｂ同士の間が導通状態ではない場合には、「排便無し」と判定し、導通状態の場合には、「排便有り」と判定する。
【０００６】
但し、後者の導通状態は、肛門対向位置ＰＡの長手方向の両側に位置する各電気接点１７１ａ，１７１ｂまで大便が拡がって到達することで形成される。すなわち、少なくとも肛門対向位置ＰＡよりも長手方向の端側（背側）に位置する電気接点１７１ｂまで大便が到達しないと、導通状態にはならず、排便を検知できない。そして、かかる電気接点１７１ａの位置は、肛門対向位置ＰＡよりも端側に位置することから、図１Ａ及び図１Ｂに示すように、同電気接点１７１ｂの位置は、概ね吸収性コア１１１の長手方向の端縁部１１１ｅの位置となる。
【０００７】
しかし、このような電気接点１７１ｂの配置では、排便の検知タイミングが相対的に遅くなってしまい、結果、おむつ交換が、便漏れに間に合わなくなる恐れがある。例えば、大便が電気接点１７１ｂまで到達して排便を検知した際には、既に、大便が吸収性コア１１１のほぼ端縁部１１１ｅに到達していることから、おむつ交換に要する十分な時間を確保できずに、便漏れしてしまう可能性がある。そして、その場合には、排便検知機能が意味をなさないものとなってしまう。
【０００８】
また、おむつ１０１ａの装着感（履き心地）の観点からは、上記形態の電気接点１７１は、次のような問題も起こし得る。すなわち、前述のように、各電気接点１７１，１７１…は、吸収性コア１１１を幅方向に横断していることから、幅方向の中央部に電気接点１７１が存在することになるが、そうすると、吸収性コア１１１の中央部の柔軟性が阻害され、結果、おむつ１０１ａの着用時に着用者は違和感を覚える恐れがある。
【０００９】
更に、図１Ｂの例では、電気接点１７１は、吸収性コア１１１よりも厚さ方向の非肌側に設けられているが、排便及び排尿の検知性向上の観点からは、電気接点１７１を吸収性コア１１１よりも肌側に設ける方が好ましいと考えられる。但し、そうすると、吸収性コア１１１を幅方向に横断する電気接点１７１が、吸収性コア１１１を部分的に肌側から覆ってしまうことになり、その結果、これら電気接点１７１，１７１…が、吸収性コア１１１への尿の浸透を邪魔してしまい、つまり、尿の吸収を阻害する恐れもある。
【００１０】
本発明は、上記のような従来の問題に鑑みてなされたものであって、その目的は、排便の検知遅れを防ぐことによって、吸収性物品から大便が漏れ出す前に確実に吸収性物品を交換できるようにし、また、吸収性物品が具備する電気接点起因の着用時の違和感を軽減可能にし、更には、同電気接点起因の尿の吸収阻害を抑制することにある。
【課題を解決するための手段】
【００１１】
上記目的を達成するための主たる発明は、
厚さ方向と幅方向と長手方向とを有する吸収性物品であって、
前記長手方向に関して背側部と股下部と腹側部とを有し、尿を吸収する吸収性コアと、
前記長手方向に沿って前記吸収性コアに設けられた導電部材であって、互いの間に間隔をあけながら前記幅方向に二つ並んで配された前記導電部材と、
前記導電部材の通電状態に基づいて排尿又は排便を検知する検知部に前記導電部材を電気的に接続する接続部と、を有し、
前記導電部材のうちで前記股下部に位置する部分は、前記導電部材よりも低い導電率の被覆部材によって被覆されているとともに、前記導電部材は、前記背側部の位置に、前記被覆部材によって被覆されずに露出された部分を有することを特徴する吸収性物品である。  
本発明の他の特徴については、本明細書及び添付図面の記載により明らかにする。
【発明の効果】
【００１２】
本発明によれば、排便の検知遅れを防ぐことによって、吸収性物品から大便が漏れ出す前に確実に吸収性物品を交換できるようになり、また、吸収性物品が具備する電気接点起因の着用時の違和感を軽減可能にし、更には、同電気接点起因の尿の吸収阻害を抑制可能となる。
【図面の簡単な説明】
【００１３】
【図１】図１Ａは、特許文献１に開示されたおむつ１０１ａの主要部の概略平面図であり、図１Ｂは、図１Ａ中のＢ−Ｂ断面図である。
【図２】図２Ａは、使い捨ておむつ１０１の概略平面図であり、図２Ｂは、図２Ａ中のＢ−Ｂ断面図である。
【図３】第１実施形態に係る吸収性物品としての尿取りパッド１を平面に展開した状態の概略平面図である。
【図４】図４Ａは、図３中のＡ−Ａ断面図であり、図４Ｂは、図３中のＢ−Ｂ断面図であり、図４Ｃは、図３中のＣ−Ｃ断面図である。
【図５】尿取りパッド１を非肌側から見た概略平面図である。
【図６】排泄物検知装置７０の説明図であって、表面シート２１及びサイドシート４１を取り外して示す尿取りパッド１の概略平面図である。
【図７】図７Ａは、排泄物検知センサー７１を構成する導電部材７１ｐの一例の概略図であって、図６中のＶＩＩ部の拡大図であり、図７Ｂは、図７Ａ中のＢ−Ｂ断面図である。
【図８】表面シート２１及びサイドシート４１を取り外して示す第２実施形態の尿取りパッド１の概略平面図である。
【発明を実施するための形態】
【００１４】
本明細書及び添付図面の記載により、少なくとも以下の事項が明らかとなる。  
厚さ方向と幅方向と長手方向とを有する吸収性物品であって、
前記長手方向に関して背側部と股下部と腹側部とを有し、尿を吸収する吸収性コアと、
前記長手方向に沿って前記吸収性コアに設けられた導電部材であって、互いの間に間隔をあけながら前記幅方向に二つ並んで配された前記導電部材と、
前記導電部材の通電状態に基づいて排尿又は排便を検知する検知部に前記導電部材を電気的に接続する接続部と、を有し、
前記導電部材のうちで前記股下部に位置する部分は、前記導電部材よりも低い導電率の被覆部材によって被覆されているとともに、前記導電部材は、前記背側部の位置に、前記被覆部材によって被覆されずに露出された部分を有することを特徴する吸収性物品である。
【００１５】
このような吸収性物品によれば、二つの導電部材は、それぞれ、吸収性コアのうちの背側部の位置に、被覆部材によって被覆されずに露出された部分を有している。よって、背側部に排出された大便によって、同露出された部分同士が導通されれば、二つの導電部材は通電状態となって、これにより、排便を検知することができる。また、排出された尿が背側部に到達して、当該尿によって、同露出された部分同士が導通されれば、二つの導電部材は通電状態となって、これにより、尿の背側部への到達を検知することができる。
【００１６】
また、同背側部の二つの導電部材は、互いの間に間隔をあけながら、幅方向に並んで配置されている。そのため、二つの導電部材の各露出された部分も、互いの間に間隔をあけながら幅方向に並んで配置されている。よって、これら二つの露出された部分同士の間に、肛門対向位置を設定することができて、これにより、同露出された部分を、長手方向に関して肛門対向位置とほぼ同位置に位置させることができる。そして、その結果、排便時点から大きく遅れること無く排便を検知可能となって、これにより、大便が、吸収性物品の長手方向の端縁部から漏れ出す前に吸収性物品を交換可能となる。
【００１７】
更に、二つの導電部材は、長手方向に沿って設けられているので、電気接点に相当する上記露出された部分も、同じく長手方向に沿って設けられており、つまり、吸収性コアを幅方向に横断するようには設けられてはいない。よって、上記露出された部分による吸収性コアの中央部の柔軟性の阻害を有効に抑制可能であり、結果、吸収性物品の着用時に着用者が覚え得る違和感を抑制することができる。  
また、上記のように、露出された部分は、吸収性コアを幅方向に横断するようには設けられていないことから、同露出された部分起因の吸収性コアへの尿の吸収阻害も有効に抑制される。
【００１８】
かかる吸収性物品であって、
前記導電部材は、前記腹側部の位置にも、前記被覆部材によって被覆されずに露出された部分を有しているのが望ましい。
【００１９】
このような吸収性物品によれば、二つの導電部材に基づいて、背側部での排便の検知、及び背側部への尿の到達の検知だけでなく、腹側部への尿の到達の検知も可能となる。すなわち、排出された尿が腹側部に到達して、当該尿によって、腹側部の上記露出された部分同士が導通されれば、二つの導電部材は通電状態となって、これにより、尿の腹側部への到達を検知することができる。よって、背側部及び腹側部から尿が漏れ出す前に、吸収性物品を速やかに交換可能となる。
【００２０】
かかる吸収性物品であって、
前記二つの前記導電部材は、それぞれ前記吸収性コアにおいて着用者の肛門が対向すべき肛門対向位置を、前記幅方向の両側から挟むように配置されており、
前記導電部材が前記背側部の位置に有する前記露出された部分は、前記長手方向に所定の長さを有し、
前記肛門対向位置を前記長手方向に跨ぐように、前記露出された部分は配置されているのが望ましい。
【００２１】
このような吸収性物品によれば、導電部材に係る上記の露出された部分を、長手方向の位置に関して肛門対向位置とほぼ同位置に確実に位置させることができる。よって、排便時点から大きく遅れること無く排便を検知可能となって、これにより、便が、吸収性物品の長手方向の端縁部から漏れ出す前に、確実に吸収性物品を交換可能となる。
【００２２】
かかる吸収性物品であって、
前記導電部材は、前記長手方向に沿って設けられた可撓性の帯状シート部材を基材とし、
前記帯状シート部材のうちで前記厚さ方向の肌側を向いた面に、前記長手方向に沿って連続して導電性インクが塗布されることによって、前記被覆部材よりも高い導電率の導電性が前記帯状シート部材に付与されており、
前記被覆部材は、前記帯状シート部材の前記導電性インクを前記厚さ方向から覆っているのが望ましい。
【００２３】
このような吸収性物品によれば、基材としての帯状シート部材の可撓性に由来して、導電部材は可撓性を有したものとなる。よって、導電部材による吸収性コアの柔軟性の阻害を有効に抑制可能であり、結果、吸収性物品の着用時に着用者が覚え得る違和感を抑制することができる。
【００２４】
かかる吸収性物品であって、
前記吸収性コアは、前記厚さ方向の肌側から液透過性の表面シートで覆われており、
前記表面シートと前記吸収性コアとの間に前記導電部材が介挿されているのが望ましい。
【００２５】
このような吸収性物品によれば、導電部材を吸収性コアよりも肌側に位置させているので、吸収性コアに排出された尿及び大便の検知性を高めることができる。
【００２６】
かかる吸収性物品であって、
前記導電部材のうちで前記表面シートと対向する面には、前記長手方向の腹側又は背側の向きを示す印が設けられているのが望ましい。
【００２７】
このような吸収性物品によれば、導電部材の上記印を見た介護者又は着用者は、吸収性物品の長手方向の腹側と背側とを容易に認識することができる。よって、腹側と背側とを間違わずに、吸収性物品を装着可能となる。
【００２８】
かかる吸収性物品であって、
前記導電部材の前記露出された部分は、前記長手方向に沿った直線状に設けられているのが望ましい。
【００２９】
このような吸収性物品によれば、導電部材の上記露出された部分は、長手方向に沿った直線状に設けられていることから、吸収性コアを幅方向に横断するようには設けられてはいない。よって、上記露出された部分起因の吸収性コアの中央部の柔軟性の阻害を有効に抑制可能であり、結果、吸収性物品の着用時に着用者が覚え得る違和感を抑制することができる。  
また、上記のように、露出された部分は、吸収性コアを幅方向に横断するようには設けられていないことから、同露出された部分起因の吸収性コアへの尿の吸収阻害も有効に抑制される。
【００３０】
かかる吸収性物品であって、
前記吸収性コアは、前記厚さ方向の肌側から液透過性の表面シートで覆われており、
前記表面シートのうちで前記厚さ方向の肌側を向いた面には、前記厚さ方向の肌側から前記表面シート及び前記吸収性コアの両者を一緒に圧搾してなる圧搾部がへこんで形成されており、
前記圧搾部が形成されていない位置に、前記導電部材が配置されているのが望ましい。
【００３１】
このような吸収性物品によれば、導電部材は、圧搾部の形成位置を回避して配置されている。よって、圧搾部が奏すべき尿の拡散作用又は吸収性コアの折り曲げ作用が、導電部材によって阻害されることは有効に防止されて、同圧搾部は上記作用を確実に奏することができる。
【００３２】
かかる吸収性物品であって、
前記接続部は、前記吸収性物品のうちで前記吸収性コアの前記腹側部よりも前記長手方向の端側の部分に配されているのが望ましい。
【００３３】
このような吸収性物品によれば、接続部は、吸収性物品のうちで吸収性コアの腹側部よりも長手方向の端側の部分に配置されている。よって、かかる吸収性物品の着用者が、仰向けになっても、接続部の上に着用者の背中が乗ることはなく、結果、同背中を接続部で痛めることは有効に防がれる。
【００３４】
＝＝＝第１実施形態＝＝＝
第１実施形態に係る吸収性物品は、尿取りパッド１である。尿取りパッド１は、使い捨ておむつ１０１に取り付けて使用される。  
図２Ａは、使い捨ておむつ１０１の概略平面図であり、図２Ｂは、図２Ａ中のＢ−Ｂ断面図である。図２Ａ及び図２Ｂに示すように、同おむつ１０１は、パルプ繊維等の液体吸収性素材で形成された吸収性コア１１１と、吸収性コア１１１を厚さ方向の肌側から覆う液透過性の表面シート１２１と、同コア１１１を非肌側から覆う液不透過性の裏面シート１３１と、を有している。また、おむつ１０１の展開形状は、図２Ａに示すように、長手方向と幅方向と厚さ方向とを有した略砂時計形状をなしている。すなわち、長手方向の中央部が幅方向にくびれた形状をなしている。そして、くびれた部分が股下部として着用者の股間にあてがわれ、股下部よりも長手方向の腹側の部分が前身頃として着用者の下腹部にあてがわれ、股下部よりも長手方向の背側の部分が後身頃として着用者の臀部にあてがわれて、これにより、着用者の下半身に装着される。
【００３５】
ここで、この第１実施形態に係る尿取りパッド１は、同おむつ１０１の表面シート１２１の肌側面に載置されて取り付けられる。そして、そのまま、おむつ１０１を着用者が履くことにより、尿取りパッド１はおむつ１０１と一体となって着用者の下半身に装着される。なお、場合によっては、尿取りパッド１の非肌側面に、ホットメルト系接着剤でなるずれ止め用粘着部又は面ファスナーの雄材などを設けて、おむつ１０１に載置した状態から尿取りパッド１が相対移動しないように固定しても良い。
【００３６】
図３は、尿取りパッド１を平面に展開した状態の概略平面図である。また、図４Ａは、図３中のＡ−Ａ断面図であり、図４Ｂは、図３中のＢ−Ｂ断面図であり、図４Ｃは、図３中のＣ−Ｃ断面図である。
【００３７】
図３に示すように、尿取りパッド１は、互いに直交する三方向として長手方向と幅方向と厚さ方向とを有する。そして、尿取りパッド１の長手方向と幅方向とで規定される平面形状は、縦長形状の一例として略砂時計形状をなしている。すなわち、長手方向の略中央の位置が幅方向にくびれた形状をなしている。  
なお、以下では、厚さ方向に関して、人体に接触する側のことを「肌側」とも言い、下着に接する側のことを「非肌側」とも言う。また、長手方向のことを「前後方向」とも言い、幅方向のことを「左右方向」とも言う。なお、人体への装着時には、尿取りパッド１の長手方向の前側は、人体の腹側を向き、後側は、人体の背側を向く。また、尿取りパッド１の長手方向の寸法は、幅方向の寸法よりも長く、幅方向の寸法は厚さ方向の寸法よりも長くなっている。
【００３８】
＜＜＜尿取りパッド１の基本構成について＞＞＞
図３及び図４Ｂに示すように、尿取りパッド１は、使用時におむつ１０１に取り付けられる本体部１ｓを有する。本体部１ｓは、尿を吸収する液体吸収性素材で形成された吸収性コア１１と、吸収性コア１１を厚さ方向の肌側から覆う液透過性の表面シート２１と、同コア１１を非肌側から覆う液不透過性の裏面シート３１と、を有する。
【００３９】
吸収性コア１１は、例えば二種類の液体吸収性素材として液体吸収性繊維と液体吸収性粒状物とが所定の配合比で混合されてなる混合物を、所定形状の一例として平面視略砂時計形状に成形したものである。すなわち、吸収性コア１１は、長手方向の略中央の位置が幅方向にくびれた形状をなしている。そして、このくびれた部分が、吸収性コア１１の股下部１１ｍとして着用者の股間にあてがわれ、同股下部１１ｍよりも長手方向の前側の部分１１ａが、吸収性コア１１の腹側部１１ａとして着用者の下腹部にあてがわれ、同股下部１１ｍよりも長手方向の後側の部分１１ｂが、吸収性コア１１の背側部１１ｂとして着用者の臀部にあてがわれる。
【００４０】
なお、この例では、液体吸収性繊維としてパルプ繊維を使用し、また液体吸収性粒状物として高吸収性ポリマー（所謂ＳＡＰ）を用いているが、何等これに限らない。また、液体吸収性素材として液体吸収性繊維及び液体吸収性粒状物のどちらか一方だけを含んでいても良いし、上記の二種類の液体吸収性素材に加えて、或いはどちらか一方に代えて、別種の液体吸収性素材が混合されていても良い。
【００４１】
また、この例では、吸収性コア１１は、液透過性シートとしてのティッシュペーパー１１ｔで被覆されているが、被覆されていなくても良い。更に、この例では設けられていないが、吸収性コア１１と表面シート２１との間に、液透過性のセカンドシートとして、適宜な不織布又はティッシュペーパー等が介挿されていても良い。
【００４２】
図３及び図４Ｂに示すように、表面シート２１は、人体から排泄された尿を受け止めて速やかに厚さ方向に吸い込んで吸収性コア１１へと導くものであり、例えば吸収性コア１１の平面形状よりも大きな略長方形のシートが使用される。この表面シート２１の素材には、例えばエアスルー不織布やスパンボンド不織布等の不織布が使用され、不織布の構成繊維としては、例えばポリエチレンやポリエチレンテレフタレート等の熱可塑性樹脂繊維が用いられる。また、表面シート２１の肌側面には、厚さ方向の肌側から表面シート２１及び吸収性コア１１の両者が一緒に圧搾されてなる圧搾部Ｅが形成されており、これにより、表面シート２１と吸収性コア１１との両者は接合一体化されている。
【００４３】
図５に、尿取りパッド１を非肌側から見た概略平面図を示す。図５及び図４Ｂに示すように、裏面シート３１は、尿取りパッド１の本体部１ｓの非肌側からの尿漏れを防止する防漏シート３１であり、その平面形状は、吸収性コア１１よりも大きな略砂時計形状である。すなわち、その外周縁部は、全周に亘って吸収性コア１１よりも外方にはみ出している。そして、この裏面シート３１に吸収性コア１１を載せた状態で、例えば長手方向の各端部及び幅方向の各端部にて表面シート２１と熱溶着等で接合され、これにより、裏面シート３１と表面シート２１との間に吸収性コア１１が保持されている。なお、この裏面シート３１と表面シート２１との間に吸収性コア１１が保持された状態のものが、前述した尿取りパッド１の本体部１ｓに相当する。かかる裏面シート３１の素材としては、例えばポリエチレンやポリエチレンテレフタレート等の熱可塑性樹脂を素材とするフィルムなどが使用される。
【００４４】
図３及び図４Ｂに示すように、尿取りパッド１の本体部１ｓには、幅方向の端側への尿漏れを防ぐ目的で、吸収性コア１１の幅方向の各端部に対応させて、一対の防漏壁部４０，４０が設けられている。一対の防漏壁部４０，４０は、それぞれ、撥水処理等されたＳＭＳ不織布等からなるサイドシート４１，４１によって形成されている。各サイドシート４１，４１は、長手方向に沿って表面シート２１の幅方向の各端部を肌側から覆って設けられている。そして、吸収性コア１１の幅方向の各端部に対応する位置で、表面シート２１に熱溶着等で固定されており、これにより、基端部４１ｂが形成されている。なお、この基端部４１ｂから幅方向の略中央側に延びる部分４１ｆは、自由端部分４１ｆであり、つまり当該部分４１ｆが基本的に防漏壁部４０となる。一方、同基端部４１ｂから幅方向の端側に延びる部分４１ｓは、尿取りパッド１の幅方向の端縁にまで至っており、そして、かかる部分は、表面シート２１又は裏面シート３１に重ね合わせられて、同端縁で、熱溶着等で表面シート２１又は裏面シート３１に接合されている。
【００４５】
ここで、自由端部分４１ｆには、長手方向に沿った糸ゴム等の弾性部材４５が伸長状態でホットメルト系接着剤により固定されている。よって、表面シート２１側が内周側となるように尿取りパッド１を長手方向に湾曲させると、弾性部材４５が長手方向に収縮して当該収縮力が自由端部分４１ｆに付与されるが、そうすると、自由端部分４１ｆは長手方向に収縮して表面シート２１から起立して、これにより同自由端部分４１ｆは防漏壁部４０として機能する。なお、図４Ｂの例では、自由端部分４１ｆ及び基端部４１ｂが、折り返しにより二枚重ねのサイドシート４１で構成されており、そして、自由端部分４１ｆの二枚重ねの間に弾性部材４５が介挿されているが、何等これに限らない。
【００４６】
また、図３、図４Ａ、及び図４Ｃに示すように、自由端部分４１ｆのうちの前端部４１ｆａ及び後端部４１ｆｂは、表面シート２１上に伏せられた状態で、ホットメルト系接着剤等により同表面シート２１に接合固定されており、これにより、前端部４１ｆａ及び後端部４１ｆｂは、起立しない未起立部とされている。よって、弾性部材４５の収縮力は、専ら、自由端部分４１ｆのうちの前端部４１ｆａと後端部４１ｆｂとの間に存在する中間部分４１ｆｍのみに選択的に付与されて、当該中間部分４１ｆｍが収縮して防漏壁部４０として起立するようになっている。
【００４７】
以上、尿取りパッド１の基本構成について説明してきたが、この尿取りパッド１には、排尿及び排便を検知する排泄物検知機能が付与されている。そして、排尿及び排便を検知することによって、尿及び大便が尿取りパッド１から漏れ出す前に、速やかに尿取りパッド１の交換を行えるようにしている。以下、この検知機能について説明する。
【００４８】
＜＜＜排泄物検知機能について＞＞＞
排泄物検知機能は、尿取りパッド１に対して排泄物検知装置７０を設けることで実現されている。そして、同検知装置７０は、尿取りパッド１内に設けられた排泄物検知センサー７１と、尿取りパッド１外に設けられて、上記センサー７１から出力される電気信号に基づいて排尿及び排便を検知する検知部７５と、を有する。
【００４９】
図６は、排泄物検知装置７０の説明図であって、表面シート２１及びサイドシート４１を取り外して示す尿取りパッド１の概略平面図である。また、同図６では、吸収性コア１１を覆うティッシュペーパー１１ｔについても不図示としている。
【００５０】
図６、及び図４Ａ乃至図４Ｃに示すように、排泄物検知センサー７１は、吸収性コア１１の肌側面と表面シート２１との間に長手方向に沿って配された長尺な二つの導電部材７１ｐ，７１ｐを有する。そして、二つの導電部材７１ｐ，７１ｐは、互いの間に間隔をあけながら幅方向に二つ並んで配されている。例えば、図４の例では、二つの導電部材７１ｐ，７１ｐ同士が、幅方向の中央線ＣＬＷに関して線対称になるように配置されているとともに、各導電部材７１ｐ，７１ｐは、長手方向の前後に沿った直線状に配置されている。
【００５１】
また、導電部材７１ｐのうちで吸収性コア１１の背側部１１ｂに位置する後端部７１ｐｂと７１ｐａ（「被覆部材によって被覆されずに露出された部分」に相当）は、絶縁用被覆部材７２ｃによって被覆されずに露出されているが、後端部７１ｐｂ以外の部分７１ｐｒは、同絶縁用被覆部材７２ｃによって被覆されて絶縁されており、更に、導電部材７１ｐは、吸収性コア１１の腹側部１１ａよりも長手方向の前側の部分で、コネクタ７４（接続部に相当）を介して電気的に上記検知部７５に接続されている。すなわち、同検知部７５は、電源７５ｂと、同電源７５ｂの正極の電位を計測するテスター７５ｔとを有しているが、同電源の正極は、一方の導電部材７１ｐに接続され、負極は、もう一方の導電部材７１ｐに接続されている。
【００５２】
よって、二つの導電部材７１ｐ，７１ｐの後端部７１ｐｂ，７１ｐｂ同士の間に位置する吸収性コア１１の部分１１ｐが、湿潤状態ではない場合には、後端部７１ｐｂ，７１ｐｂ同士は電気的に非導通となるので、テスター７５ｔの計測値は、概ね電源７５ｂの正極の電位値となる。しかし、湿潤状態になった場合には、後端部７１ｐｂ，７１ｐｂ同士が導通するため、テスター７５ｔの計測値は、概ね負極の電位値まで降下する。ここで、かかる吸収性コア１１の部分１１ｐの湿潤状態は、背側部１１ｂへ排出された大便、或いは背側部１１ｂに到達した尿によってもたらされる。よって、テスター７５ｔの計測値の降下に基づいて、背側部１１ｂへの排便の有無及び尿の背側部１１ｂへの到達の有無を検知することができる。
【００５３】
図７Ａは、排泄物検知センサー７１を構成する上記導電部材７１ｐの一例の概略図であって、図６中のＶＩＩ部の拡大図である。また、図７Ｂは、図７Ａ中のＢ−Ｂ断面図である。  
導電部材７１ｐは、長手方向に長尺で可撓性且つ所定の絶縁性（低い導電率）を有した帯状シート部材７２ｓを基材とする。帯状シート部材７２ｓの長手方向の全長は、例えば尿取りパッド１の長手方向の全長と同長であり、また帯状シート部材７２ｓの幅方向の寸法は、４ｍｍ〜１２ｍｍの範囲から選択され、この例では、全長に亘って８ｍｍの一定幅とされており、更に、帯状シート部材７２ｓの厚さ方向の寸法は、１０μｍ〜５０μｍの範囲から選択され、この例では、２５μｍとされている。
【００５４】
そして、同帯状シート部材７２ｓの肌側面には、長手方向に沿って連続して導電性インクが全長に亘って塗布されていて、これにより、導電性インク層７２ｉが形成されており、かかる導電性インク層７２ｉによって、所定の導電率（電気伝導率とも言われ、単位は（Ｓ／ｍ））の導電性が長手方向の全長に亘って帯状シート部材７２ｓに付与されている。
【００５５】
導電性インク層７２ｉの幅方向の寸法は、帯状シート部材７２ｓの幅方向の寸法よりも小さくされており、これにより、帯状シート部材７２ｓの肌側面における幅方向の両側の部分には、導電性インク層７２ｉが存在しない未存在領域が形成されている。この例では、導電性インク層７２ｉの幅方向の寸法は、３ｍｍ〜８ｍｍの範囲から選択され、この例では３ｍｍとされており、よって、幅方向の両側には、それぞれ１〜３．５ｍｍの範囲から選択され、この例では２．５ｍｍの幅方向の寸法で上記の未存在領域が形成されている。また、導電性インク層７２ｉの坪量（ｇ／ｍ２）は、例えば１０〜３０（ｇ／ｍ２）の範囲から選択され、この例では、２０（ｇ／ｍ２）とされている。
【００５６】
また、かかる帯状シート部材７２ｓの肌側面には、上記の導電性インク層７２ｉごと同肌側面を厚さ方向から被覆するように、絶縁用被覆部材７２ｃが設けられている。すなわち、絶縁用被覆部材７２ｃは、導電性インク層７２ｉを完全に被覆すべく、導電性インク層７２ｉの幅方向の両側から幅方向にはみ出すように設けられており、また、同被覆部材７２ｃの導電率は、導電性インク層７２ｉよりも大幅に低い導電率に設定されている。よって、同被覆部材７２ｃで被覆された導電性インク層７２ｉの部分は、絶縁されている。但し、帯状シート部材７２ｃの長手方向の後端部７１ｐｂは、上記被覆部材７２ｃで被覆されておらず、これにより、同後端部７１ｐｂでは導電性インク層７２ｉが露出しているため、絶縁状態とはされていない。そして、これにより、導電部材７１ｐの後端部７１ｐｂは、前述したような絶縁用被覆部材７２ｃで被覆されない露出状態となっている。
【００５７】
なお、帯状シート部材７２ｓの材料としては、ポリプロピレン、ポリエチレン、ポリエステル、ポリイミド、ポリアミドイミド、ポリカーボネート、ポリスチレン等の２軸延伸フィルムを使用可能であり、この例では、ポリプロピレンフィルムが使用されている。但し、何等上記に限るものではない。すなわち、導電性インク層７２ｉよりも低い導電率の材料であれば、使用可能である。ただ、望ましくは、帯状シート部材７２ｓの導電率は、絶縁用被覆部材７２ｃの導電率と同等又はそれよりも小さいと良い。
【００５８】
また、導電性インク層７２ｉに係る導電性インクは、導電性粉体、固定材（バインダ）、充填剤などを混練して作成される。導電性粉体としては、例えば、銀、金、銅、ニッケル、アルミニウム等の導電性金属粉、或いは、カーボン、黒鉛等の導電性非金属粉等を例示でき、この例では、導電性カーボンと黒鉛が使用されている。固定材としては、例えば、ポリ塩化ビニル系樹脂、ポリアクリル系樹脂、エポキシ系樹脂、ポリエステル系樹脂等を例示でき、この例ではポリエステル系樹脂が使用されている。充填剤は、導電性インクの塗布時の粘度を調整する粘度調整剤や、塗布時の塗布性を高める分散材などであり、具合的にはイソホロンやアノンである。そして、これら導電性粉体と固定材と充填剤とは、所定の配合比（重量比）で配合され、この例では、配合比は４０：２０：４０とされている。また、帯状シート部材７２ｓへの導電性インク層７２ｉの形成は、例えばスクリーン印刷、ダイレクトグラビア印刷、フレキソ印刷等によって行われる。
【００５９】
また、絶縁用被覆部材７２ｃの材料としては、シリコン系接着剤、ホットメルト系コーティング材、ワリセン等を例示できて、この例では、高い絶縁性（低い導電率）を奏するワセリンが使用されている。
【００６０】
ところで、図６に示すように、二つの導電部材７１ｐは、吸収性コア１１において着用者の肛門が対向すべき肛門対向位置ＰＡを、幅方向の両側から挟むように配置されている。また、吸収性コア１１の背側部１１ｂに位置する導電部材７１ｐの後端部７１ｐｂは、長手方向に所定の長さを有し、同後端部７１ｐｂは、肛門対向位置ＰＡを長手方向に跨ぐように配置されている。そのため、導電部材７１ｐの後端部７１ｐｂのうちの少なくとも一部は、長手方向の位置に関して、肛門対向位置ＰＡと同位置に位置している。よって、排便時点から大きく遅れること無く排便を検知可能となって、これにより、大便が、吸収性コア１１の長手方向の後端縁部１１ｅｂ、ひいては、尿取りパッド１の長手方向の後端縁部から１ｅｂ漏れ出す前に、確実に尿取りパッド１を交換可能となる。
【００６１】
また、図６に示すように、二つの導電部材７１ｐ，７１ｐの各後端部７１ｐｂ，７１ｐｂは、それぞれ長手方向に沿った直線状に設けられており、つまり、同後端部７１ｐｂは、吸収性コア１１を幅方向に横断するようには設けられてはいない。よって、後端部７１ｐｂによる吸収性コア１１の中央部の柔軟性の阻害を有効に抑制可能であり、結果、尿取りパッド１の着用時に着用者が覚え得る違和感を抑制することができる。
【００６２】
更に、図４Ｃに示すように、二つの導電部材７１ｐ，７１ｐの各後端部７１ｐｂ，７１ｐｂは、それぞれ、表面シート２１と吸収性コア１１との間に介挿されている。すなわち、吸収性コア１１よりも厚さ方向の肌側に配置されている。よって、吸収性コア１１へ向けて排出された大便や尿の検知性を高めることができる。但し、このように表面シート２１と吸収性コア１１との間に導電部材７１ｐの後端部７１ｐｂが介挿されていると、場合によっては、吸収性コア１１の肌側面が後端部７１ｐｂによって肌側から部分的に覆われてしまって、これにより、吸収性コア１１への尿の吸収阻害を招く恐れがある。しかし、この点につき上述の例では、導電部材７１ｐの後端部７１ｐｂは、吸収性コア１１を幅方向に横断するようには設けられておらず、吸収性コア１１のうちの幅方向の端部に設けられている。よって、同後端部７１ｐｂ起因の吸収性コア１１への尿の吸収阻害も有効に抑制されるようになっている。
【００６３】
また、既述のように、表面シート２１の肌側面には、表面シート２１と吸収性コア１１とを一緒に圧搾してなる圧搾部Ｅ，Ｅがへこんで形成されている。詳しくは、この例では、吸収性コア１１の股下部１１ｍには、長手方向に沿った溝状の圧搾部Ｅ，Ｅが、幅方向に二つ並んで形成されている。そして、ここで、二つの導電部材７１ｐ，７１ｐは、これら二つの圧搾部Ｅ，Ｅよりも幅方向の端側の位置に配置されている。すなわち、圧搾部Ｅ，Ｅが形成されていない位置に、二つの導電部材７１ｐ，７１ｐが配置されている。
【００６４】
よって、圧搾部Ｅが奏すべき尿の拡散作用又は吸収性コア１１の折り曲げ作用が、導電部材７１ｐによって阻害されることは有効に防止されて、その結果、同圧搾部Ｅは上記の作用を確実に奏することができる。
【００６５】
なお、望ましくは、導電部材７１ｐのうちで表面シート２１と対向する面、すなわち肌側面には、尿取りパッド１の腹側たる前側又は背側たる後側の向きを示す印が示されていると良い。そして、このようになっていれば、上記印を見た介護者又は着用者は、尿取りパッド１の前側と後側とを容易に認識することができて、結果、前側と後側とを間違わずに尿取りパッド１をおむつ１０１に取り付け可能となる。
【００６６】
＝＝＝第２実施形態＝＝＝
図８は、第２実施形態の尿取りパッド１の概略平面図である。なお、図８では、表面シート２１及びサイドシート４１を取り外して示している。  
前述の第１実施形態では、図６に示すように、吸収性コア１１の背側部１１ｂに位置する導電部材７１ｐの部分７１ｐｂたる後端部７１ｐｂだけを絶縁用被覆部材７２ｃで被覆せずに導電可能に露出させていたが、この点につき、この第２実施形態では、図８に示すように、後端部７１ｐｂだけでなく前端部７１ｐａも導電可能に露出させている。そして、主にこの点で第１実施形態と相違し、これ以外の点は、上述の第１実施形態と概ね同じである。そのため、以下では、この相違点について主に説明し、第１実施形態と同じ構成については同じ符号を付して、その説明については省略する。
【００６７】
図８に示すように、この第２実施形態では、導電部材７１ｐの前端部７１ｐａについても、絶縁用被覆部材７２ｃで被覆せずに導電可能に露出させている。そして、かかる前端部７１ｐａは、吸収性コア１１の腹側部１１ａに位置している。よって、腹側部１１ａへの尿の到達も検知することができる。すなわち、排出された尿が腹側部１１ａに到達して、当該尿によって、腹側部１１ａに位置する二つの導電部材７１ｐ，７１ｐの前端部７１ｐａ，７１ｐａ同士が導通されれば、二つの導電部材７１ｐ，７１ｐは通電状態となって、これにより、尿の腹側部１１ａへの到達を検知することができる。よって、背側部１１ｂ及び腹側部１１ａから尿が漏れ出す前に尿取りパッド１を速やかに交換可能となる
ここで、望ましくは、図８に示す導電部材７１ｐの前端部７１ｐａの後側の端縁７１ｐａｅの位置、及び導電部材７１ｐの後端部７１ｐｂの前側の端縁７１ｐｂｅの位置を、それぞれ、次のように設定すると良い。すなわち、吸収性コア１１の前側の端縁１１ｅａから上記前端部７１ｐａの後側の端縁７１ｐａｅまでの長手方向の寸法をＬａとした場合に、当該Ｌａを吸収性コア１１の長手方向の全長Ｌ１１で除算した比率Ｒａが、０．２２〜０．３６の任意値になるように設定すると良く、また、吸収性コア１１の前側の端縁１１ｅａから上記後端部７１ｐｂの前側の端縁７１ｐｂｅまでの長手方向の寸法をＬｂとした場合に、当該Ｌｂを吸収性コア１１の長手方向の全長Ｌ１１で除算した比率Ｒｂが、０．７８〜０．８６の任意値になるように設定すると良い。
【００６８】
そして、このように設定すれば、吸収性コア１１から即座に漏れ出す可能性の無い状態のうちで、吸収性コア１１に尿が適度に拡散したときに、当該拡散状態になったことを、導電部材７１ｐの前端部７１ｐａ又は後端部７１ｐｂの導通に基づいて検知することができる。よって、吸収性コア１１が持つ吸収可能容量に近い水準まで尿を同コア１１に吸収させながらも、同コア１１から尿漏れする前に尿取りパッド１を交換することができて、その結果、尿取りパッド１の使用枚数の大幅な削減を図れる。
【００６９】
＝＝＝尿取りパッド１の製造方法について＝＝＝
上述の尿取りパッド１は、適宜な製造装置によって、例えば次のようにして製造される。  
先ず、積繊装置によって吸収性コア１１が生成される。積繊装置は、例えば、上面を搬送面として搬送対象物を吸着しながら搬送するサクションベルトコンベアと、その上方に配されて回転する回転ドラムと、を有する。
【００７０】
回転ドラムは、外周面にへこみ部を有する。よって、適宜なダクトから散布される液体吸収性素材を、この外周面のへこみ部が吸着して積層することにより、上述の吸収性コア１１が生成される。そして、生成された吸収性コア１１は、上記のサクションベルトコンベアで搬送されるティッシュペーパー１１ｔの連続体の上面に載置されて、ティッシュペーパー１１ｔの連続体と一体となって搬送される。なお、この搬送中には、適宜なガイド部材によって、ティッシュペーパー１１ｔの連続体の幅方向の両端部が巻き上げられて同両端部で吸収性コア１１の上面は覆われて、これにより、吸収性コア１１はティッシュペーパー１１ｔの連続体でくるまれた状態にされる。そして、そのまま搬送方向の下流のロータリーカッター装置へと送られる。
【００７１】
ロータリーカッター装置は、回転する一対のロールを有し、そのうちの一方のロールの外周面には、カッター刃が設けられている。よって、ロータリーカッター装置を通過する際に、吸収性コア１１をくるむティッシュペーパー１１ｔの連続体は、搬送方向に並ぶ吸収性コア１１，１１同士の間の位置で分断されて、これにより、各吸収性コア１１は、単票状のティッシュペーパー１１ｔに個別にくるまれた状態にされる。そして、かかる吸収性コア１１は、順次、搬送方向の下流へと送られる。
【００７２】
搬送方向の下流側の所定位置では、排泄物検知センサー７１の連続体、すなわち二つの導電部材７１ｐ，７１ｐの連続体が、幅方向に並んだ状態で吸収性コア１１の上方から合流し、同吸収性コア１１の上面のティッシュペーパー１１ｔに載置されて接着される。なお、かかる接着は、二つの導電部材７１ｐ，７１ｐの連続体に予め塗布された接着剤によってなされる。そして、搬送方向の下流へと搬送される。
【００７３】
搬送方向の下流側の所定位置では、一対のサイドシート４１の連続体が組み付けられた表面シート２１の連続体が上方から合流する。すなわち、表面シート２１の連続体の幅方向の両側には、それぞれ各サイドシート４１の連続体が熱溶着等で固定されており、また、各サイドシート４１の連続体には、既に伸長状態の弾性部材４５，４５…が固定されている。そして、このような表面シート２１の連続体によって吸収性コア１１は上方から覆われた状態になる。そして、その後は、かかる吸収性コア１１と表面シート２１とが一体となって搬送方向に搬送されて、これにより、搬送方向の下流側のエンボスロール装置へと送られる。
【００７４】
エンボスロール装置は、例えば回転する上下一対のロールを有し、そのうちの上ロールの外周面には、前述の圧搾部Ｅ，Ｅに対応した形状の突起部が設けられている。よって、エンボスロール装置を通過する際に、表面シート２１の連続体と吸収性コア１１との両者には圧搾部Ｅ，Ｅが形成され、そして、更に搬送方向の下流へと送られる。
【００７５】
搬送方向の下流側の所定位置では、下方から裏面シート３１の連続体が合流する。そして、吸収性コア１１を介して表面シート２１の連続体を裏面シート３１の連続体上に載置することにより、表面シート２１の連続体と裏面シート３１の連続体との間に吸収性コア１１が介挿された状態にされ、かかる状態のまま、その下流のラウンドシール装置へと送られる。
【００７６】
ラウンドシール装置は、例えば回転する上下一対のロールを有し、そのうちの上ロールの外周面には、尿取りパッド１の輪郭形状に対応した形状の突起部が設けられている。よって、ラウンドシール装置を通過する際に、表面シート２１の連続体と裏面シート３１の連続体との両者は、尿取りパッド１における長手方向の各端部及び幅方向の各端部に相当する位置で互いに熱溶着等で接合される。そして、これにより、尿取りパッド１の連続体が生成され、かかる尿取りパッド１の連続体は、更に搬送方向の下流側のダイカッター装置へと送られる。
【００７７】
ダイカッター装置は、回転する一対のロールを有し、そのうちの一方のロールの外周面には、尿取りパッド１の輪郭形状に対応した形状の抜き刃を有している。よって、尿取りパッド１の連続体がダイカッター装置を通過する際に、抜き刃によって尿取りパッド１の連続体から尿取りパッド１が個別に打ち抜かれて、これにより、単票状の尿取りパッド１が生成される。ちなみに、上記のように打ち抜かれる際には、上記の抜き刃によって、排泄物検知センサー７１の連続体たる二つの導電部材７１ｐ，７１ｐの連続体も尿取りパッド１毎に分断される。
【００７８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００７９】
上述の実施形態では、吸収性物品として尿取りパッド１を例示したが、何等これに限らない。すなわち、上記の排泄物検知装置７０を使い捨ておむつに対して設けても良い。
【００８０】
上述の実施形態では、表面シート２１と吸収性コア１１との間に排泄物検知センサー７１として二つの導電部材７１ｐ，７１ｐを介挿していたが、当該導電部材７１ｐの配置位置は、何等これに限らない。例えば、吸収性コア１１と裏面シート３１との間に介挿しても良いし、これら以外の位置に介挿されても良い。但し、尿及び大便の検知性の観点からは、表面シート２１と吸収性コア１１との間に導電部材７１ｐを介挿するのが望ましい。
【００８１】
上述の実施形態では、導電部材７１ｐは、帯状シート部材７２ｓと、その肌側面に形成された導電性インク層７２ｉとを有し、同導電性インク層７２ｉは、絶縁用被覆部材７２ｃで被覆されていたが、何等これに限らない。例えば、ビニール被覆の銅線のように金属線の外周を適宜な絶縁用被覆部材で被覆してなる被覆電線を導電部材７１ｐとして用いても良い。なお、この場合も、被覆電線は長手方向に沿って配置されるとともに、被覆電線の後端部は吸収性コア１１の背側部１１ｂに位置し、同後端部の被覆は剥がされて金属線が露出されている。
【００８２】
上述の実施形態では、図３又は図６に示すように、導電部材７１ｐは、長手方向に沿った直線状に配置されていたが、何等これに限らない。すなわち、導電部材７１ｐが長手方向に沿って配置されていれば、長手方向の位置に応じて幅方向の位置が多少変化していても良い。例えば、波形に若干うねりながら、長手方向に延びて配置されていても良い。つまり、ここで言う「長手方向に沿って導電部材７１ｐが設けられる」の記載の意味は、広義には、「導電部材７１ｐの延びる方向が、長手方向に対して４５度未満の角度の範囲に収まっていること」であり、狭義には、「導電部材７１ｐの延びる方向が、長手方向に対して３０度未満の角度の範囲に収まっていること」であり、更に狭義には、「導電部材７１ｐの延びる方向が、長手方向に対して１０度未満の角度の範囲に収まっていること」である。
【符号の説明】
【００８３】
１  尿取りパッド（吸収性物品）、１ｓ  本体部、
１１  吸収性コア、
１１ａ  腹側部、１１ｍ  股下部、１１ｂ  背側部、
１１ｅａ  前側の端縁、１１ｅｂ  後端縁部、１１ｐ  部分、
１１ｔ  ティッシュペーパー、
２１  表面シート、３１  裏面シート、
４０  防漏壁部、４１  サイドシート、４１ｂ  基端部、
４１ｆ  自由端部分、４１ｆａ  前端部、４１ｆｂ  後端部、４１ｆｍ  中間部分、
４１ｓ  部分、
４５  弾性部材、
７０  排泄物検知装置、７１  排泄物検知センサー、７１ｐ  導電部材、
７１ｐａ  前端部、７１ｐａｅ  後側の端縁、
７１ｐｂ  後端部、７１ｐｂｅ  前側の端縁、
７１ｐｒ  後端部以外の部分、
７２ｓ  帯状シート部材、７２ｉ  導電性インク層、７２ｃ  絶縁用被覆部材、
７４  コネクタ（接続部）、
７５  検知部、７５ｂ  電源、７５ｔ  テスター、
１１１  吸収性コア、１２１  表面シート、１３１  裏面シート、
Ｅ  圧搾部、ＰＡ  肛門対向位置、ＣＬＷ  中央線、
【図１】
2015002948.tif 000003
【図２】
2015002948.tif 000004
【図３】
2015002948.tif 000005
【図４】
2015002948.tif 000006
【図５】
2015002948.tif 000007
【図６】
2015002948.tif 000008
【図７】
2015002948.tif 000009
【図８】
2015002948.tif 000010